(57)【要約】      （修正有）【課題】自由な照明の演出を可能とする間接照明装置、その製造方法および間接照明の取付構造を提供する。【解決手段】間接照明装置１０は、壁面１に取り付けられる長尺基材１１と、その長尺基材１１の収容部（空間２０ａ）に収容される照明１２とを備えている。収容部は、穴を開口としている。間接照明装置１０は、連結具２５を介して壁面１に取り付けられ、壁面に取り付けたとき、照明１２は壁面１に沿う方向に向いている。【選択図】図１
2020135953.tif 000002
【特許請求の範囲】
【請求項１】
壁面に取り付けられる間接照明装置であって、
収容部を構成する長尺基材と、
前記収容部に収容される照明とを備えており、
前記長尺基材の長手方向に垂直な断面形状は、Ｃ状の周壁と、前記周壁の内部空間を仕切る仕切壁とを有し、
前記壁面に取り付けたとき、前記周壁の開口が前記壁面によって閉じられ、前記照明が前記壁面に沿う方向または前記壁面に向いている、
間接照明装置。
【請求項２】
前記長尺基材の長手方向に垂直な断面形状が、前記周壁に設けられた前記内部空間と外部とを連通する穴を有し、
前記収容部は、前記穴を開口とし、周壁および仕切壁に囲まれた空間によって構成され、
前記照明が、前記穴を介して前記壁面に沿う方向または前記壁面に向いている、
請求項１記載の間接照明装置。
【請求項３】
前記長尺基材の長手方向に垂直な断面形状が、前記周壁に形成された凹みを有し、
前記収容部は、前記凹みによって構成され、
前記凹みに収容された照明が前記壁面に沿う方向または前記壁面に向いている、
請求項１記載の間接照明装置。
【請求項４】
前記長尺基材の長手方向に垂直な断面形状において、前記Ｃ状の周壁の一端が切り落とされており、
前記収容部は、前記周壁と壁面との間の隙間を開口として、前記周壁と壁面によって囲まれた空間によって構成され、
前記照明が、前記隙間を介して前記壁面に沿う方向または前記壁面に向いている、
請求項１記載の間接照明装置。
【請求項５】
前記長尺基材がセメント系押出成形体を加工したものである、
請求項２から４いずれかに記載の間接照明装置。
【請求項６】
壁面に取り付けられる間接照明装置であって、
収容部を構成する押出成形基材と、
前記収容部に収容される照明とを備えており、
前記収容部に収容される前記照明から放射される光の方向が、前記壁面に沿う方向または前記壁面に向いている、
間接照明装置。
【請求項７】
請求項１から５いずれかに記載の間接照明装置の製造方法であって、
前記周壁と前記仕切り壁とを備えたセメント系押出成形体を成形し、
前記セメント系押出成形体の周壁を切削加工して穴または凹みを形成して前記長尺基材を成形し、あるいは、前記セメント系押出成形体の周壁を切削加工して周壁の一端を切り落として前記長尺基材を成形し、
前記長尺基材の収容部に前記照明を収容する、
間接照明装置の製造方法。
【請求項８】
壁面に取り付けられる間接照明の取付構造であって、
収容部を構成する押出成形基材と、
前記収容部に収容される照明とを備えており、
前記収容部に収容される前記照明から放射される光の方向が、前記壁面に沿う方向または前記壁面に向いている、
間接照明の取付構造。
【発明の詳細な説明】
【技術分野】
【０００１】
本発明は、壁面に取り付けられる間接照明装置、その製造方法および間接照明の取付構造に関する。
【背景技術】
【０００２】
従来、照明を天井や壁面等に向けて光を照射し、その反射光により間接的に照明する間接照明が知られている。
例えば、特許文献１では、外壁の上端部に沿って、その上端部を屋外側から覆うように設けられ、外壁の上端部を照射する照明装置を収容する照明収容部を備えた外壁構造が知られている。
また、特許文献２には、天井と壁面との境目部分であって、天井側に凹んだ凹部に、壁面に向かって光を照射する照明装置を設けた間接照明方法が開示されている。
【０００３】
一方、建物のデザイン性を向上させるものとして、建物の玄関、窓などの開口部の周りに取り付けられる化粧枠（特許文献３）や、外壁に取り付けられる装飾材が知られている。
【先行技術文献】
【特許文献】
【０００４】
【特許文献１】特開２０１７−２１６０５９号公報
【特許文献２】特開２０１７−１５２２８７号公報
【特許文献３】特開２０１７−１６６１３６号公報
【発明の概要】
【発明が解決しようとする課題】
【０００５】
特許文献１や特許文献２は、建物の構造に応じて照明装置を固定するものであり、照明の演出箇所が建物の構造に限定されてしまう。
一方、化粧枠や装飾材を用いて、壁面に間接照明を施すことについては知られていない。
本発明は、自由な照明の演出を可能とする間接照明装置、その製造方法および間接照明の取付構造を提供することを目的としている。
【課題を解決するための手段】
【０００６】
本発明の間接照明装置は、壁面に取り付けられる間接照明装置であって、収容部を有する長尺基材と、前記収容部に収容される照明とを備えており、前記長尺基材の長手方向に垂直な断面形状は、Ｃ状の周壁と、前記周壁の内部空間を仕切る仕切壁とを有し、前記壁面に取り付けたとき、前記周壁の開口が前記壁面によって閉じられ、前記照明が前記壁面に沿う方向または前記壁面に向いていることを特徴としている。ここで「Ｃ状の周壁」とは、壁面に取り付けられる周壁の一面（開口）以外で環状になっているものをいい、一部が切り欠かれたものも含む。またここで「照明の向き」とは、照明が照射する光の向きをいう。そして「壁面に沿う方向」とは、照明が照射した光が壁面に沿って現れる向きをいい、「壁面に向く」とは照明が照射した光が壁面のある一定の領域に現れる向きをいう。
【０００７】
本発明の間接照明装置であって、前記長尺基材の長手方向に垂直な断面形状が、前記周壁に設けられた前記内部空間と外部とを連通する穴を有し、前記収容部は、前記穴を開口とし、周壁および仕切壁に囲まれた空間によって構成され、前記照明が、前記穴を介して前記壁面に沿う方向または前記壁面に向いているのが好ましい。
本発明の間接照明装置であって、前記長尺基材の長手方向に垂直な断面形状が、前記周壁に形成された凹みを有し、前記収容部は、前記凹みによって構成され、前記凹みに収容された照明が前記壁面に沿う方向または前記壁面に向いているのが好ましい。
本発明の間接照明装置であって、前記長尺基材の長手方向に垂直な断面形状において、前記Ｃ状の周壁の一端が切り落とされており、前記収容部は、前記周壁と壁面との間の隙間を開口として、前記周壁と壁面によって囲まれた空間によって構成され、前記照明が、前記隙間を介して前記壁面に沿う方向または前記壁面に向いているのが好ましい。
【０００８】
本発明の間接照明装置であって、前記長尺基材がセメント系押出成形体を加工したものであることが好ましい。
【０００９】
本発明の間接照明装置の第２の態様は、壁面に取り付けられる間接照明装置であって、収容部を構成する押出成形基材と、前記収容部に収容される照明とを備えており、前記収容部に収容される前記照明から放射される光の方向が、前記壁面に沿う方向または前記壁面に向いていることを特徴としている。ここで「照明から放射される光の方向」とは、照明から直接照射される光の向き、および、反射板等を反射させた間接的な光の向きを含む。
【００１０】
本発明の間接照明装置の製造方法は、前記周壁と前記仕切り壁とを備えたセメント系押出成形体を成形し、その後、前記穴または凹みを形成して前記長尺基材を成形し、あるいは、前記セメント系押出成形体の周壁を切削加工して周壁の一端を切り落として前記長尺基材を成形し、そして、前記長尺基材の収容部に前記照明を収容することを特徴としている。
【００１１】
本発明の間接照明の取付構造は、壁面に取り付けられる間接照明の取付構造であって、収容部を構成する押出成形基材と、前記収容部に収容される照明とを備えており、前記収容部に収容される前記照明から放射される光の方向が、前記壁面に沿う方向または前記壁面に向いていることを特徴としている。
【発明の効果】
【００１２】
本発明の間接照明装置は、壁面に取り付けたとき、照明または照明から放射される光が壁面に沿う方向または壁面に向いているため、取り付けた壁面に間接照明を演出することができる。特に、長尺基材を化粧枠または装飾材として兼用することにより、形状および色による装飾を外壁に施すことができる。
【図面の簡単な説明】
【００１３】
【図１】図１ａは本発明の間接照明装置の第１の実施形態を壁面に取り付けたときの反射光の領域を示す概略図であり、図１ｂはそのＸ−Ｘ線断面図である。
【図２】図２ａは長尺基材を示す断面図であり、図２ｂは長尺基材を示す左側面図であり、図２ｃは製造不良により変形した長尺基材を示す断面図である。
【図３】図３ａは照明を示す平面図であり、図３ｂは他の実施形態を示す間接照明装置の一部断面図であり、図３ｃはそのときの反射光の領域を示す概略図である。
【図４】図４ａ、図４ｃは、それぞれさらに他の実施形態を示す間接照明装置の左側面図、断面図であり、図４ｂは、さらに他の実施形態の間接照明装置の反射光の領域を示す概略図である。
【図５】本発明の間接照明装置の第２の実施形態を示す断面図である。
【図６】本発明の間接照明装置の第３の実施形態を示す断面図である。
【発明を実施するための形態】
【００１４】
図１ａの間接照明装置１０は、連結具２５を介して壁面１に取り付けられるものであり、間接照明装置１０から照射された光が壁面で反射し、その反射光により間接的に照明するものである。符号１ａは、間接照明装置１０から照射された光が壁面に沿って現れている様子を示す。特に外壁へ間接照明を施すのに好ましいものであり、壁面に取り付けられる化粧枠や装飾材としても用いることもできる。
間接照明装置１０は、図１ｂに示すように、壁面１に取り付けられる長尺基材１１と、その長尺基材１１の収容部に収容される照明１２とを備えている。
【００１５】
長尺基材１１は、図２ａに示すように、長手方向に垂直な断面形状が、Ｃ状の周壁１６と、その周壁の内部空間２０を仕切る仕切壁１７と、Ｃ状の周壁１６に設けられた内部空間２０と外部とを連通する穴１８とを有している。
周壁１６は、天板１６ａと、その両端から天板１６ａに対して垂直に同じ方向に延びる２つの側板１６ｂ１、１６ｂ２とを備えて、周壁１６は両側板１６ｂ１、１６ｂ２の先端同士を繋いだ面１６ｃが開口している。一方の側板１６ｂ１（図２ａの左側）に穴１８が形成されている。
このような長尺基材１１は、間接照明装置１０を壁面１に取り付けたとき、周壁１６の開口した面１６ｃが壁面１と対向する。つまり、この周壁１６の開口は、壁面１に固定された連結具２５を受け入れ、壁面１によって閉じられる（図１ｂ参照）。また、長尺基材１１を壁面１に取り付けたとき、天板１６ａは壁面１と平行となる。天板１６ａの表面には、用途に応じてデザイン等が施されている。また長尺基材１１の両端部は、図２ｂのエンドキャップ１１ａによって閉じられている。
【００１６】
仕切壁１７は、天板１６ａから略垂直に延びる縦壁１７ａ１、１７ａ２と、それぞれ側板１６ｂ１、１６ｂ２から略垂直に延びる横壁１７ｂ１、１７ｂ２とを有する。縦壁１７ａ１、１７ａ２、および、横壁１７ｂ１、１７ｂ２は、天板１６ａの幅方向（図２ａの左右方向）の中心線Ｃ１を中心として左右対称に設けられている。そして、縦壁１７ａ１と横壁１７ｂ１および縦壁１７ａ２と横壁１７ｂ２とが交差している。
その他の仕切壁１７としては、縦壁１７ａ１と縦壁１７ａ２とが連続するように、その下端からＹ字状にＹ字壁１７ｃが設けられている。またそれぞれ側板１６ｂ１、１６ｂ２の下端から横壁１７ｂ１、１７ｂ２に向かって斜めに延びる傾斜壁１７ｄ１、１７ｄ２が設けられている。
【００１７】
長尺基材１１は、仕切壁１７によって、内部空間が７つの独立した空間（２０ａ〜２０ｇ）に仕切られている。その独立した空間の一つであり、周壁１６（天板１６ａの一部と側板１６ｂ１の一部）と、仕切壁１７（縦壁１７ａ１と、横壁１７ｂ１）に囲まれた空間２０ａは、照明１２を収容する収容部となっている。この空間（収容部）２０ａは、穴１８によって外部と連通している。また空間２０ｆ、２０ｇは、周壁１６の開口した面１６ｃから連結具２５を受け入れる。
【００１８】
このように天板１６ａから延びる縦壁１７ａ１、１７ａ２と、側板１６ｂ１、１６ｂ２から延びる横壁１７ｂ１、１７ｂ２とが交わっており、天板１６ａと側板１６ｂ１、１６ｂ２とが仕切壁１７によって連続しているため、左側板１６ｂ１に穴１８が設けられても天板１６ａと左側板１６ｂ１とを一体に保つことができる。また、周壁１６の開口した面１６ｃに対して独立した空間２０ａを確保することができ、照明１２を独立して収容することができる。さらに仕切壁１７は、天板１６ａの幅方向（図２ａの左右方向）の中心線Ｃ１を中心として左右対称に設けられているため、強度が高く、外力が加わっても壊れにくい。
【００１９】
穴１８は、周壁１６の左側板１６ｂ１の天板１６ａ側に形成されており、外部と空間２０ａとを連通している。長尺基材１１において、図２ｂに示すように、長手方向に延びる１本の長い穴となる。このように穴１８は、左側板１６ｂ１に形成されているため、長尺基材１１を壁面１に取り付けたとき、穴１８、つまり、収容部の開口は壁面と平行に開口することになる。そのため、収容部内に収容された照明１２は、壁面１と対向した位置から見えない。なお、穴１８に、図２ａの想像線で示すように、光透過性のカバー１８ａを設けてもよい。
【００２０】
このような長尺基材１１は、セメント系押出成形体を加工して成形する。
ここで「セメント系押出成形体」とは、セメント系材料を押出成形し、硬化させたものである。
セメント系材料とは、水硬性の無機物を含むセメント系組成物を硬化させた材料である。水硬性の無機物としては、各種ポルトランドセメント、高炉セメント、フライアッシュセメント、シリカセメントなどを用いることができる。また、軽量化のために軽量化骨材等を含んでいてもよく、補強等のためにパルプ、水溶性セルロース、鉱物繊維等を含んでいてもよく、着色のために顔料を含んでいてもよい。各種のセメント系材料のなかでも、耐火性に優れ、比重が軽いことから、珪酸カルシウムを主成分とする珪酸カルシウム系材料を用いることが好ましい。また、強度に優れることから、パルプで補強された珪酸カルシウム系材料を用いることがさらに好ましい。
このようなセメント系材料は、押出成形によって、長手方向（押出方向）に断面形状がほぼ同一な成形体を容易に製造することができる。また、比重０．７〜１．５、特に０．７〜１．３程度の押出成形体であれば、軽量性による施工性の向上の効果も生じる。さらに、耐熱性を有しているため、発熱する照明を収容しても変形するおそれがなく、耐久性に優れている。硬化後のセメント系押出成形体は、ビス、ネジ、釘等の固着具により固定可能である。
【００２１】
このような長尺基材１１の製造方法は、周壁１６と、仕切壁１７とを備えたセメント系押出成形体を成形し、その後、周壁１６の一部を切削して穴１８を形成して成形する。なお、周壁１６と仕切壁１７とを備えたセメント形押出成形体は、周壁１６の開口した面１６ｃを下にしてスペーサを入れて形状を保たせながら押出して硬化させる。
セメント系押出成形体に切削加工を行うのは、押出成形体の軸方向に垂直な断面形状であって異なる２つの方向に開口している形状を、押出によって形成する場合、図２ｃに示すように、穴１８の上側の天板１６ａが下方に垂れるおそれがあるためである。つまり、２つの方向に開口している形状を押出成形するには、それぞれの開口にスペーサを挿入して形状を保持させる必要があるが、穴１８にスペーサを保持させることが困難となるためである。このように、一度、周壁１６および仕切壁１７を有するセメント系押出成形体を成形して硬化し、その後、硬化したセメント押出成形体に切削加工して穴１８を形成することにより、精度の高く、かつ、効率良く生産することができる。
【００２２】
照明１２は、縦長の空間（収容部）２０ａに収容される縦長のものである（図１ｂ参照）。詳しくは、図３ａに示すように、縦長の基板１２ａと、基板の長手方向に均等に設けられた複数のＬＥＤ１２ｂとを備えており、基板１２ａの端部に照明１２に電源を供給する配線１２ｃが設けられている。なお、ＬＥＤ以外に、蛍光灯、電球等の電力によって発光するものを用いてもよい。
照明１２は、収容部（空間２０ａ）に設けられる冶具１５に保持させている（図１ｂ参照）。冶具１５の大きさや形状を選択することにより、収容部内における照明１２の位置を調整することができる。照明１２は、冶具１５によって壁面に沿う方向に固定され、照明１２から照射される光は、図１に示すように壁面に沿って現れる。なお、図３ｂ、ｃに示すように、冶具１５の表面を傾けることにより、照明１２が壁面１に向く、つまり、光が壁面の所定の領域１ｂに現れるように調整することもできる。冶具１５は、例えば、ねじ等の固定具２６によって仕切壁の縦壁１７ａ１に固定される。
照明１２は、冶具１５と接着剤等で固定する。これにより冶具１５を取り外すことにより、照明１２の取替えができる。その場合、照明１２および冶具１５を穴１８または長尺基材１１の両端から出し入れする。しかし、例えば、互いに係合できる係止爪を照明１２の裏面および冶具の表面に設ける等、照明１２と冶具１５とを取り外し可能な構造とし、照明１２のみを出し入れするようにしてもよい。
【００２３】
このような間接照明装置１０は、例えば、壁面１に一定の間隔でも設けられた連結具２５を介して壁面１に取り付けられる（図１ａ、ｂ参照）。連結具２５としては、例えば、天面２５ａとその両端から垂直に延びる側面２５ｂとを有する断面コ字状の金具が挙げられる。このとき、連結具２５の側面２５ｂは壁面１に対して垂直に突出した状態となり、この側面２５ｂを長尺基材１１の周壁１６の開口した面１６ｃ（空間２０ｆ、２０ｇ）に挿入し、側面２５ｂと周壁１６の右側板１６ｂ２とを重ねてビス２６ａとナット２６ｂで固定する。
なお、連結具２５としては、壁面１に固定される壁面固定部（例えば、天面２５ａ）と、壁面１に対して突出する建材固定部（例えば、側面２５ｂ）とを備えていれば、その形状は特に限定されない。また、壁面固定部は、壁面に対して取り外し可能とせず、埋め込まれていてもよい。
【００２４】
このように構成される間接照明装置１０は、建物の構造に関係無く壁面１に取り付けることができるため、デザイン性の高い間接照明を外壁に施すことができる。また間接照明装置１０は、耐熱性の高いセメント系材料によって構成されているため、発熱体である光源を直接収容しても、変形等が起こりにくい。また環境変化にも強く外部への設置にも適している。さらに、セメント系材料を押出成形したセメント系押出成形体に切削加工しているため、精度の高い製品を高効率で生産することができる。
また長尺基材１１の周壁１６において、穴１８が形成された左側板１６ｂ１と天板１６ａとが仕切壁１７によって連続しているため、長尺基材１１に所定の強度を保たせることができる。さらに、照明１２は、周壁１６の開口した面１６ｃとは連通しない独立した空間２０ａ（収容部）に収容されているため、間接照明装置１０の取付作業時に、照明１２に不意な外力を加えるおそれがなく好ましい。
【００２５】
なお、図１の間接照明装置１０の長尺基材１１の長手方向に垂直な断面のＣ状の周壁の形状は、壁面に取り付けられる周壁の一面（開口）以外に円または多角形で環状になっていれば、特に、限定されるものでない。例えば、周壁１６の天板１６ａは湾曲していてもよく、壁面に取り付けたとき壁面に対して角度を有していてもよく、側板１６ｂ１、１６ｂ２が壁面に対して垂直方向から角度を有していてもよい。さらに、半円状であってもよい。しかし、１面（開口面）が除かれた矩形であるものが好ましい。
仕切壁１７の配置も限定されるものではなく、少なくとも天板１６ａと側板１６ｂ１または１６ｂ２とが仕切壁１７によって連続していればよい。しかし、天板１６ａから延びる仕切壁と、側板１６ｂ１または１６ｂ２から延びる仕切壁とが交わるものが好ましい。さらに、長尺基材１１（天板１６ａ）の幅方向の中心線Ｃ１を中心として左右対称に設けられているものが好ましい。
図１の間接照明装置１０では、穴１８は長手方向の１本の長い穴を構成しているが、図４ａに示すように、複数本の穴１８を長手方向に並べるようにしてもよい。
図１の間接照明装置１０では、照明１２から直接照射した光を壁面に沿う方向または壁面に向かせているが、反射板等に反射させた光を壁面に沿う方向または壁面に向かせて、壁面の所定の領域に現れるようにしてもよい。
図１の間接照明装置１０では、照明１２は長尺基材１１と同じ長さにしているが、例えば、図４ｂに示すように、壁面へのデザインに応じて反射光の領域１ｃが長尺基材１１の長手方向の一部だけとなるように、照明１２を長尺基材１１の一部に設けてもよい。また図１の間接照明装置１０では、照明１２を左側にのみに設けているが、右側に設けても、図４ｃのように両側に設けてもよい。つまり、空間２０ａと空間２０ｃとに照明１２を設けてもよい。その場合、右側板１６ｂ２にも穴１８が設けられる。
さらに図１の間接照明装置１０では、照明１２の電源は、照明１２の端部に設けられた配線１２ｃを介して外部より供給しているが、長尺基材１１内に電池や配線等を設けて供給してもよい。その場合、電池等を長尺基材１１の他の空間（図２ａの空間２０ｂ等）に収容してもよい。
【００２６】
図５に示す間接照明装置３０は、周壁１６の左側板１６ｂ１に長手方向に延びる凹部３１が形成されている。そして、この凹部３１に照明１２が収容される。つまり、凹部３１が収容部となり、凹部３１の開口が収容部の開口となる。その他の構成については、図１の間接照明装置１０と実質的に同じものである。この場合も冶具を介して照明１２を固定してもよいが、照明１２が壁面に沿う方向または壁面に向くように、凹部３１に照明１２を直接固定している。このように凹部３１に照明１２を収容しても、図１の間接照明装置１０と同様に、デザイン性の高い間接照明を外壁に施すことができる。また左側板１６ｂ１に開口を形成しないため、長尺基材１１の強度が図１の間接照明装置１０より層高くなる。
【００２７】
図６に示す間接照明装置４０は、周壁１６の左側板１６ｂ１の端部を切り落とされたものである。このように構成されているため、長尺基材１１を壁面１に取り付けたとき、長尺基材１１と壁面１との間に隙間４１が形成される。この間接照明装置４０は、この隙間４１に照明１２を固定するものである。つまり、周壁１６と壁面１とに囲まれた空間が収容部となり、隙間４１が収容部の開口となる。なお、図６の間接照明装置４０では、冶具１５を介して壁面１に固定している。しかし、周壁１６の左側板１６ｂ１の端部に固定してもよい。
この間接照明装置４０も、図１の間接照明装置１０と同様に、デザイン性の高い間接照明を外壁に施すことができる。またこの間接照明装置４０も、周壁１６の端部を切り落としているだけであるため、図１の間接照明装置１０よりも長尺基材１１の強度を高く保つことができる。
【符号の説明】
【００２８】
１    壁面
１ａ、１ｂ、１ｃ  反射光の領域
１０  間接照明装置
１１  長尺基材
１１ａ  エンドキャップ
１２  照明
１２ａ  基板
１２ｂ  ＬＥＤ
１２ｃ  配線
１５  冶具
１６  周壁
１６ａ  天板
１６ｂ１  左側板
１６ｂ２  右側板
１６ｃ  面
１７  仕切壁
１７ａ１、１７ａ２  縦壁
１７ｂ１、１７ｂ２  横壁
１７ｃ  Ｙ字壁
１７ｄ１、１７ｄ２  傾斜壁
１８  穴
１８ａ  カバー
２０  内部空間
２０  空間
２０ａ−２０ｇ  空間
２５  連結具
２５ａ  天面
２５ｂ  側面
２６  固定具
２６ａ  ビス
２６ｂ  ナット
３０  間接照明装置
３１  凹部
４０  間接照明装置
４１  隙間
【図１】
2020135953.tif 000003
【図２】
2020135953.tif 000004
【図３】
2020135953.tif 000005
【図４】
2020135953.tif 000006
【図５】
2020135953.tif 000007
【図６】
2020135953.tif 000008